【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内のセンサと、
前記アクチュエータと前記リザーバ取入口とに連結された少なくとも一つのバルブとを具備し、
該バルブは環状本体を含んでおり、該環状本体は、内側面と、前記環状本体の内側面に形成された第一の環状肩部と、外側面と、側部通路と、前記第一の環状肩部から前記環状本体の端部まで延びる端部開口と、前記側部通路と端部開口との間で前記アクチュエータ内のチャンバを前記リザーバに連結する流路と、を有しており、前記環状本体は内側面と外側面とを有しており、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、
前記ポペットは、円錐型先端区画と、該円錐型先端区画を越えて半径方向に延在するポペットショルダと、前記円錐型先端区画と前記ポペットショルダとの間の環状外側面区画とを備えており、前記ポペットが前記第一の位置に在るときに前記環状外側面区画は前記端部開口内に少なくとも部分的に位置しており、
さらに、
前記センサにより生成された前記信号に応じて前記アクチュエータ・ピストンの位置を確定するマイクロプロセッサと、を具備する、緩衝制御用のサスペンション制御ユニット。
【請求項２】  環状本体を具備し、該環状本体は、内側面と、前記環状本体の内側面に形成された環状肩部と、外側面と、側部通路と、前記環状肩部から前記環状本体の端部まで延びる端部開口と、前記側部通路と端部開口との間で前記アクチュエータ内のチャンバを前記リザーバに連結する流路と、を有しており、
さらに、
前記環状本体内に摺動可能に嵌装されたポペットを具備し、該ポペットは前記流路を閉塞する第一の位置と前記流路を少なくとも部分的に閉塞しない第二の位置との間で摺動可能になっており、
前記ポペットは、円錐型先端区画と、該円錐型先端区画を越えて半径方向に延在するポペットショルダと、前記円錐型先端区画と前記ポペットショルダとの間の環状外側面区画とを備えており、前記ポペットが前記第一の位置に在るときに前記環状外側面区画は前記端部開口内に少なくとも部分的に位置している、バルブ。
【請求項３】  環状本体を具備し、該環状本体は、内側面と、外側面と、円周方向に離間された複数のスロット区画を備えた側部通路と、端部開口と、前記側部通路と端部開口との間で前記アクチュエータ内のチャンバを前記リザーバに連結する流路と、を有しており、
さらに、
前記環状本体内に摺動可能に嵌装されたポペットを具備し、該ポペットは前記流路を閉塞する第一の位置と前記流路を閉塞しない第二の位置との間で摺動可能になっており、前記ポペットは、環状区画と、該環状区画から延びる円錐型先端区画と、前記環状区画から前記円錐型先端区画を越えて半径方向に延在するショルダとを備えており、前記先端区画は７０°円錐の区画であり、前記ショルダは前記側部通路に常に連通しており、
スロット区画の各々は、スロット区画第一の端部とスロット区画第二の端部との間に形成された幅を有しており、
前記ポペットは、前記円錐区画と前記ポペット環状区画との交差部に形成された周縁部を備えており、
前記ポペットが前記第一の位置に在るとき、前記ポペットの周縁部は前記各スロット区画の第一の端部と半径方向に整列される、バルブ。
【請求項４】  環状本体を具備し、該環状本体は、内側面と、外側面と、側部通路と、端部開口と、前記側部通路と端部開口との間で前記アクチュエータ内のチャンバを前記リザーバに連結する流路と、を有しており、
さらに、
前記環状本体の前記内側面に形成されたバルブ本体内側ショルダと、
前記環状本体内に摺動可能に嵌装されたポペットとを具備し、該ポペットは前記流路を閉塞する第一の位置と前記流路を閉塞しない第二の位置との間で摺動可能になっており、
さらに、
前記ポペットの端部から半径方向に延在して前記バルブ本体内側ショルダと係合し、前記ポペットを前記第一の位置に停止させるポペット・フランジ、を具備するバルブ。
【請求項５】  環状本体を具備し、該環状本体は、内側面と、外側面と、側部通路と、端部開口と、前記側部通路と端部開口との間で前記アクチュエータ内のチャンバを前記リザーバに連結する流路と、を有しており、
さらに、
前記環状本体内に摺動可能に嵌装されたポペットを具備し、該ポペットは前記流路を閉塞する第一の位置と前記流路を閉塞しない第二の位置との間で摺動可能になっており、前記バルブのポペットは内側面を備えた中空になっており、
さらに、
前記ポペットの前記内側面に形成されたポペット内側ショルダと、
前記ポペット内側ショルダ上に着座された弾性部材と、
ソレノイドと、
前記ソレノイドと前記弾性部材とに連結され、前記前記ソレノイドにより生成された負荷を前記弾性部材に伝達することにより前記ポペットを移動させる、ソレノイド・ダンパと、を具備するバルブ。
【請求項６】  環状本体を具備し、該環状本体は、内側面と、外側面と、側部通路と、端部開口と、前記側部通路と端部開口との間で前記アクチュエータ内のチャンバを前記リザーバに連結する流路と、を有しており、
さらに、
前記環状本体内に摺動可能に嵌装されたポペットを具備し、該ポペットは前記流路を閉塞する第一の位置と前記流路を閉塞しない第二の位置との間で摺動可能になっており、
さらに、
バルブ本体を取囲む環状逆止弁を具備し、
該環状逆止弁は、環状壁と、該環状壁から半径方向に延在する逆止弁フランジと、前記環状本体の外側面から延びるフランジと、該フランジと前記逆止弁フランジとの間に挟持されたスプリングとを含んでいる、バルブ。
【請求項７】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体制御ユニットを具備し、
該流体制御ユニットは、流体リザーバにアクセスできる第一の通路および流体リザーバにアクセスできる第二の通路を備えた流体リザーバと、前記リザーバ内の流体の量を検知して該リザーバ内の前記流体の量を表す信号を生成する、前記リザーバ内のセンサと、前記リザーバと連通して前記第一の通路を通る流れを制御する第一のバルブと第二のバルブとを含んでおり、
前記第一および第二のバルブの各々は、環状本体を含んでおり、該環状本体は、側部通路と、内側面と、前記環状本体の内側面に形成された環状肩部と、該環状肩部から前記環状本体の端部まで延びる端部開口とを有しており、前記端部開口は前記リザーバ上の夫々の通路と連通し、前記側部通路と前記端部開口との間には流路が形成されており、
前記第一および第二のバルブの各々は、さらに、前記本体内に摺動可能に嵌装されたポペットを含んでおり、該ポペットは前記流路を閉塞する第一の位置と前記流路を閉塞しない第二の位置との間で摺動するようになっており、
前記ポペットは、円錐型先端区画と、該円錐型先端区画を越えて半径方向に延在するポペットショルダと、前記円錐型先端区画と前記ポペットショルダとの間の環状外側面区画とを備えており、前記ポペットが前記第一の位置に在るときに前記環状外側面区画は前記端部開口内に少なくとも部分的に位置しており、
さらに、
前記第一のチャンバを前記第一のバルブの前記側部通路に連結する第一の管路と、
前記第二のチャンバを前記第二のバルブの前記側部通路に連結する第二の管路と、
前記バルブの各々と前記センサとに対して連結され、前記センサにより生成された信号に応じて前記バルブの各々の動作を制御する制御器と、を具備する、サスペンション制御システム。
【請求項８】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内のセンサと、
前記アクチュエータと前記リザーバ取入口とに連結された少なくとも一つのバルブとを具備し、
該バルブは環状本体を含んでおり、該環状本体は、内側面と、外側面と、円周方向に離間された複数のスロット区画を備えた側部通路と、端部開口と、前記側部通路と端部開口との間で前記アクチュエータ内のチャンバを前記リザーバに連結する流路と、を有しており、前記環状本体は内側面と外側面とを有しており、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、前記ポペットは、円錐型先端区画と、前記円錐型先端区画を越えて半径方向に延在するショルダと、前記円錐型先端区画と前記ショルダとの間の環状外側面区画とを備えており、前記ポペットの前記円錐型先端区画は７０°円錐の区画であり、前記環状区画と前記ショルダとは前記側部通路に常に連通しており、
環状のスロット区画の各々は、スロット区画第一の端部とスロット区画第二の端部との間に形成された幅を有しており、
前記ポペットは、前記円錐区画と前記ポペット環状外側面区画との交差部に形成された周縁部を備えており、
前記ポペットが前記第一の位置に在るとき、前記ポペット周縁部は前記各スロット区画の第一の端部と半径方向に整列されており、
さらに、
前記センサにより生成された前記信号に応じて前記アクチュエータ・ピストンの位置を確定するマイクロプロセッサと、を具備する、緩衝制御用のサスペンション制御ユニット。
【請求項９】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内のセンサと、
前記アクチュエータと前記リザーバ取入口とに連結された少なくとも一つのバルブとを具備し、
該バルブは環状本体を含んでおり、該環状本体は、内側面と、外側面と、側部通路と、端部開口と、前記側部通路と端部開口との間で前記アクチュエータ内のチャンバを前記リザーバに連結する流路と、を有しており、前記環状本体は、内側面と、外側面とを含んでおり、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、
さらに、前記バルブは前記本体の前記内側面上に形成されたバルブ本体内側ショルダと、前記ポペットの端部から半径方向に延在して前記バルブ本体内側ショルダと係合し、前記ポペットを前記第一の位置に停止させるポペット・フランジと、を含んでおり、
さらに、
前記センサにより生成された前記信号に応じて前記アクチュエータ・ピストンの位置を確定するマイクロプロセッサと、を具備する、緩衝制御用のサスペンション制御ユニット。
【請求項１０】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内のセンサと、
前記アクチュエータと前記リザーバ取入口とに連結された少なくとも一つのバルブとを具備し、
該バルブは環状本体を含んでおり、該環状本体は、内側面と、外側面と、側部通路と、端部開口と、前記側部通路と端部開口との間で前記アクチュエータ内のチャンバを前記リザーバに連結する流路と、を有しており、前記環状本体は、内側面と、外側面とを含んでおり、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、
さらに、前記バルブは前記ポペットの前記内側面に形成されたポペット内側ショルダと、前記ポペット内側ショルダ上に着座された弾性部材と、ソレノイドと、前記ソレノイドと前記弾性部材とに連結され、前記前記ソレノイドにより生成された負荷を前記弾性部材に伝達することにより前記ポペットを移動させるソレノイド・ダンパとを含んでおり、
さらに、
前記センサにより生成された前記信号に応じて前記アクチュエータ・ピストンの位置を確定するマイクロプロセッサと、を具備する、緩衝制御用のサスペンション制御ユニット。
【請求項１１】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内のセンサと、
前記アクチュエータと前記リザーバ取入口とに連結された少なくとも一つのバルブとを具備し、
該バルブは環状本体を含んでおり、該環状本体は、内側面と、外側面と、側部通路と、端部開口と、前記側部通路と端部開口との間で前記アクチュエータ内のチャンバを前記リザーバに連結する流路と、を有しており、前記環状本体は、内側面と、外側面とを含んでおり、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、
さらに、前記バルブは前記本体を取囲むハウジングを含んでおり、該ハウジングはアクチュエータ・チャンバからの流体を受け入れるバルブ・チャンバを前記本体外側面と前記ハウジングとの間に形成しており、
さらに、前記バルブは前記リザーバ取入口を取囲むと共に前記バルブ・チャンバ内に配置されたバイパス開口を含んでおり、該バイパス開口は前記リザーバ内の流体にアクセスでき、
さらに、前記バルブは前記バルブ・チャンバ内に配置されると共に前記バルブ本体を取囲む環状逆止弁を含んでおり、
該環状逆止弁は、環状壁と、該環状壁から半径方向に延在していて前記バイパス開口をカバーする逆止弁フランジと、前記バルブ・チャンバ内において前記環状本体の外側面から延びるフランジと、該フランジと前記逆止弁フランジとの間に挟持されたスプリングとを含んでおり、該スプリングは、前記通路を取囲んでいる前記バイパス開口を前記逆止弁フランジがカバーする第一の位置において前記逆止弁を保持しており、前記逆止弁は、前記第二のスプリングにより生成される力に抗して摺動して、前記リザーバから前記バイパス開口を通じて流体を流すことができる第二の位置へと摺動でき、
さらに、
前記センサにより生成された前記信号に応じて前記アクチュエータ・ピストンの位置を確定するマイクロプロセッサと、を具備する、緩衝制御用のサスペンション制御ユニット。
【請求項１２】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内の線形可変誘起型変圧器式センサと、を具備し、
該センサは、前記リザーバ内に延在するコイル化ボビンと、前記リザーバ内に摺動可能に嵌装されたアルミニウム製センサ・ピストンとを含んでおり、該センサ・ピストンは、該センサ・ピストンの一側にて前記ボビンを収容する開口と、前記リザーバを前記流体と連通する第一のリザーバ部分と前記ボビンを収容する第二のリザーバ部分とに分割する逆側の第二の側部とを有し、前記第一のリザーバ部分が流体で充填されるにつれて前記ボビンが前記開口を貫通する如く前記ピストンを前記ボビンに向けて摺動するようになっており、
さらに、
前記アクチュエータと前記リザーバ取入口とに連結された少なくとも一つのバルブを具備し、
該バルブは環状本体を含んでおり、該環状本体は、内側面と、外側面と、側部通路と、端部開口と、前記側部通路と端部開口との間で前記アクチュエータ内のチャンバを前記リザーバに連結する流路と、を有しており、前記環状本体は、内側面と、外側面とを含んでおり、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、
さらに、
前記センサにより生成された前記信号に応じて前記アクチュエータ・ピストンの位置を確定するマイクロプロセッサと、を具備する、緩衝制御用のサスペンション制御ユニット。
【請求項１３】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体を蓄積すると共に前記アクチュエータに連結されていて、少なくとも一つの取入口を有する流体リザーバと、
前記リザーバ内の流体の量を表す信号を生成する、前記リザーバ内のセンサと、
前記アクチュエータと前記リザーバ取入口とに連結された少なくとも一つのバルブとを具備し、
該バルブは環状本体を含んでおり、該環状本体は、内側面と、外側面と、側部通路と、端部開口と、前記側部通路と端部開口との間で前記アクチュエータ内のチャンバを前記リザーバに連結する流路と、を有しており、前記環状本体は、内側面と、外側面とを含んでおり、
さらに、前記バルブは前記環状本体内に摺動可能に嵌装されたポペットを含んでおり、該ポペットは前記流路を閉塞する第一の位置と前記流路を閉塞しない第二の位置との間で摺動可能になっており、
さらに、
前記センサにより生成された前記信号に応じて前記アクチュエータ・ピストンの位置を確定するマイクロプロセッサと、を具備する、緩衝制御用のサスペンション制御ユニット。
【請求項１４】  環状本体を具備し、該環状本体は、内側面と、外側面と、側部通路と、端部開口と、前記側部通路と端部開口との間で前記アクチュエータ内のチャンバを前記リザーバに連結する流路と、を有しており、前記環状本体は、内側面と、外側面とを含んでおり、
さらに、
前記環状本体内に摺動可能に嵌装されたポペットを具備し、該ポペットは前記流路を閉塞する第一の位置と前記流路を閉塞しない第二の位置との間で摺動可能になっている、バルブ。
【請求項１５】  ピストンにより第一および第二のチャンバに分割されたハウジングを備えたアクチュエータを具備し、前記ピストンは前記ハウジング内に摺動可能に嵌装されており、前記第一および第二のチャンバの各々は所定体積を有しており、前記第一および第二のチャンバの体積は前記ピストンが前記アクチュエータ・ハウジング内で往復運動するときに変化するようになっており、
さらに、
流体制御ユニットを具備し、
該流体制御ユニットは流体リザーバにアクセスできる第一の通路および流体リザーバにアクセスできる第二の通路を備えた流体リザーバを含んでおり、
さらに、
前記リザーバ内の流体の量を検出して該流体の量を表す信号を生成する、前記リザーバ内のセンサと、
前記リザーバに連通していて前記第一の通路を通る流れを制御する第一のバルブと第二のバルブとを具備し、
前記第一および第二のバルブの各々は、さらに、環状本体を含んでおり、該環状本体は、側部通路と、開口とを有しており、該開口は前記リザーバのそれぞれの通路に連通しており、
前記第一および第二のバルブの各々は、さらに、前記本体内に摺動可能に嵌装されたポペットを含んでおり、該ポペットは前記流路を閉塞する第一の位置と前記流路を閉塞しない第二の位置との間で摺動するようになっており、
さらに、
前記第一のチャンバを前記第一のバルブの前記側部通路に連結する第一の管路と、
前記第二のチャンバを前記第二のバルブの前記側部通路に連結する第二の管路と、
前記バルブの各々と前記センサとに対して連結され、前記センサにより生成された信号に応じて前記バルブの各々の動作を制御する制御器と、を具備する、サスペンション制御システム。